(57)【要約】【課題】  リセット期間での強放電により発生することがある誤放電を除去するプラズマディスプレイパネル及びその駆動方法を提供する。【解決手段】  リセット期間とアドレス期間の間に誤放電消去期間が追加されている。リセット期間での不安定なリセット動作によって走査電極と維持電極に各々多量の（−）電荷と（＋）電荷が形成されることができる。これら電荷によってアドレス期間でアドレス放電がなくてもサステイン期間で走査電極と維持電極の間で放電が起こることができる。誤放電消去期間では、まず、走査電極と維持電極の間に電圧を印加して放電を起こし走査電極と維持電極に各々（＋）電荷と（−）電荷を形成する。次に、消去波形を印加して走査電極と維持電極に形成されている（＋）電荷と（−）電荷を消去する。【選択図】  図４
2004326068.tif 000002
【特許請求の範囲】
【請求項１】
第１基板上に各々平行に形成される複数の第１電極及び第２電極、そして前記第１及び第２電極に交差し第２基板上に形成される複数の第３電極を含み、隣接した前記第１電極、第２電極及び第３電極によって放電セルが形成されるプラズマディスプレイパネルを駆動する方法において、
前記放電セルをアドレス可能に設定するリセット期間と、
前記リセット期間を補助する補助リセット期間と、
前記放電セルのうちの選択しようとする放電セルを選択するアドレス期間と、
前記選択された放電セルを維持放電させるサステイン期間とを含むことを特徴とするプラズマディスプレイパネルの駆動方法。
【請求項２】
前記補助リセット期間は、一定の条件で放電と消去機能を有する放電消去パルスを前記放電セルに印加することを特徴とする請求項１に記載のプラズマディスプレイパネルの駆動方法。
【請求項３】
前記一定の条件は、前記リセット期間で非正常的な電荷が形成された場合であり、前記放電消去パルスによって前記リセット期間で形成された非正常的な電荷が放電されて消去されることを特徴とする請求項２に記載のプラズマディスプレイパネルの駆動方法。
【請求項４】
前記非正常的な電荷は、前記リセット期間で前記第１電極と第２電極に各々形成された第１及び第２電荷を含み、
前記第１及び第２電荷によって形成される電圧は、前記アドレス期間で選択されなかった放電セルが前記サステイン期間で維持放電できるようにする電圧であることを特徴とする請求項３に記載のプラズマディスプレイパネルの駆動方法。
【請求項５】
前記補助リセット期間は、前記第１電極に第１電圧が第１期間内に印加される段階、そして前記第２電極に第２電圧が第２期間内に印加される段階を含むことを特徴とする請求項４に記載のプラズマディスプレイパネルの駆動方法。
【請求項６】
前記第１電圧は、前記第１電荷と第２電荷によって形成される電圧と共に前記第１電極と前記第２電極の間の放電を起こすことができる範囲内であることを特徴とする請求項５に記載のプラズマディスプレイパネルの駆動方法。
【請求項７】
前記第１電圧は、前記サステイン期間で放電のために前記第１電極に印加される電圧と同一なレベルであることを特徴とする請求項６に記載のプラズマディスプレイパネルの駆動方法。
【請求項８】
前記第１期間は、前記第１電極と第２電極の間の放電によって前記第１電極と第２電極に電荷が形成できる範囲内であり、前記第２期間での前記第２電圧は、前記第１期間で形成される電荷を消去することができる電圧であることを特徴とする請求項６に記載のプラズマディスプレイパネルの駆動方法。
【請求項９】
前記第２期間で、前記第２電圧は第３電圧から第４電圧まで漸進的に変化する電圧であることを特徴とする請求項８に記載のプラズマディスプレイパネルの駆動方法。
【請求項１０】
前記第２電圧は、前記第１期間で前記第１電極と第２電極の間の放電によって形成される電圧と共に前記第１電極と第２電極の間の放電を起こすことができる範囲内であり、
前記第２期間は、前記第１電極と前記第２電極の間の放電によって形成される電荷が前記第１電極と第２電極に所定量以下に蓄積されるようにすることができる範囲内であることを特徴とする請求項８に記載のプラズマディスプレイパネルの駆動方法。
【請求項１１】
前記所定量は、前記選択されていない放電セルが前記サステイン期間で維持放電が起こらないようにする範囲内であることを特徴とする請求項１０に記載のプラズマディスプレイパネルの駆動方法。
【請求項１２】
前記補助リセット期間で前記第１電極に第１電圧が印加される間に前記第２電極に第２電圧が印加されることを特徴とする請求項４に記載のプラズマディスプレイパネルの駆動方法。
【請求項１３】
前記第１電圧が所定期間内に前記第１電極に印加され、
前記第１電圧と前記第２電圧の電圧差は、前記第１電荷と第２電荷によって形成される電圧と共に前記第１電極と前記第２電極の間の放電を起こすことができる範囲内であり、
前記所定期間は、前記第１電極と前記第２電極の間の放電によって形成される電荷が前記第１電極と第２電極に所定量以下に蓄積されるようにすることができる範囲内であることを特徴とする請求項１２に記載のプラズマディスプレイパネルの駆動方法。
【請求項１４】
前記所定量は、前記選択されていない放電セルが前記サステイン期間で維持放電が起こらないようにする範囲内であることを特徴とする請求項１３に記載のプラズマディスプレイパネルの駆動方法。
【請求項１５】
前記第１電圧は、サステイン期間で放電のために前記第１電極に印加される電圧と同一なレベルの電圧であることを特徴とする請求項１３に記載のプラズマディスプレイパネルの駆動方法。
【請求項１６】
前記第１電圧は、第３電圧から第４電圧まで漸進的に変化する電圧であることを特徴とする、請求項１２に記載のプラズマディスプレイパネルの駆動方法。
【請求項１７】
第１基板上に各々平行に形成される複数の第１電極及び第２電極、そして前記第１及び第２電極に交差し第２基板上に形成される複数の第３電極を含み、隣接した前記第１電極、第２電極及び第３電極によって放電セルが形成されるプラズマディスプレイパネルを駆動する方法において、
リセット期間で一定の条件が形成された場合に放電と消去を起こすことができる消去段階を含み、
前記消去段階は、
前記リセット期間で前記一定の条件下で前記第１電極と前記第２電極の間で放電を起こすことができる放電パルスを前記放電セルに印加する第１段階と、
前記第１段階の放電によって前記第１電極と第２電極に形成される電荷を消去するための消去パルスを前記放電セルに印加する第２段階とを含むプラズマディスプレイパネルの駆動方法。
【請求項１８】
前記一定の条件は、前記リセット期間で非正常的な電荷が形成された場合であることを特徴とする請求項１７に記載のプラズマディスプレイパネルの駆動方法。
【請求項１９】
前記非正常的な電荷は、前記リセット期間で前記第１電極と第２電極に各々形成された第１及び第２電荷を含み、前記第１及び第２電荷によって形成される電圧はアドレス期間で選択されなかった放電セルがサステイン期間で維持放電できるようにする電圧であることを特徴とする請求項１８に記載のプラズマディスプレイパネルの駆動方法。
【請求項２０】
前記第１段階は、前記第２電極を第１電圧に維持させた状態で前記第１電極に第１電圧を有する前記放電パルスを印加し、
前記第１電圧と第２電圧の電圧差は、前記第１電荷と第２電荷によって形成される電圧と共に前記第１電極と第２電極の間の放電を起こすことができる範囲内であることを特徴とする請求項１９に記載のプラズマディスプレイパネルの駆動方法。
【請求項２１】
前記第２段階は、前記第１電極を第３電圧に維持させた状態で第４電圧から第５電圧まで漸進的に上昇する前記消去パルスを前記第２電極に印加し、
前記第５電圧と前記第３電圧の電圧差は、前記第１段階で放電が起こった場合に前記第１電極と第２電極に形成された電荷によって形成される電圧と共に前記第１電極と第２電極の間の放電を起こすことができる範囲内であることを特徴とする請求項２０に記載のプラズマディスプレイパネルの駆動方法。
【請求項２２】
前記第２段階は、前記第１電極を第３電圧に維持させた状態で第４電圧から第５電圧まで漸進的に下降する前記消去パルスを前記第２電極に印加し、
前記第３電圧と前記第５電圧の電圧差は、前記第１段階で放電が起こった場合に前記第１電極と第２電極に形成された電荷によって形成される電圧と共に前記第１電極と第２電極の間の放電を起こすことができる範囲内であることを特徴とする請求項２０に記載のプラズマディスプレイパネルの駆動方法。
【請求項２３】
前記第２段階は、前記第１電極を第３電圧に維持させた状態で所定期間内に第４電圧を有する前記消去パルスを前記第２電極に印加し、
前記第４電圧と前記第３電圧の電圧差は、前記第１段階で放電が起こった場合に前記第１電極と第２電極に形成された電荷によって形成される電圧と共に前記第１電極と第２電極の間の放電を起こすことができる範囲内であり、
前記所定期間は、前記第１電極と第２電極の間の放電によって形成された電荷が前記第１電極と第２電極に所定量以下に蓄積されるようにする範囲内であることを特徴とする、請求項２０に記載のプラズマディスプレイパネルの駆動方法。
【請求項２４】
前記所定量は、前記サステイン期間で前記第１電極と第２電極に各々印加される電圧レベルと同一なレベルの電圧が前記第１電極と第２電極に各々印加される場合に前記第１電極と第２電極の間で放電が起こらないようにすることができる範囲内であることを特徴とする請求項２３に記載のプラズマディスプレイパネルの駆動方法。
【請求項２５】
第１基板上に各々平行に形成される複数の第１電極及び第２電極、そして前記第１及び第２電極に交差し第２基板上に形成される複数の第３電極を含み、隣接した前記第１電極、第２電極及び第３電極によって放電セルが形成されるプラズマディスプレイパネルを駆動する方法において、
リセット期間で一定の条件が形成された場合に放電と消去を起こすことができる消去段階を含み、
前記消去段階は、前記一定の条件下で前記第１電極と前記第２電極の間での放電を起こして電荷を消去するための消去パルスを上基放電セルに印加する段階を含むことを特徴とするプラズマディスプレイパネルの駆動方法。
【請求項２６】
前記一定の条件は、前記リセット期間で非正常的な電荷が形成された場合であることを特徴とする、請求項２５に記載のプラズマディスプレイパネルの駆動方法。
【請求項２７】
前記非正常的な電荷は、前記リセット期間で前記第１電極と第２電極に各々形成された第１及び第２電荷を含み、
前記第１及び第２電荷によって形成される電圧はアドレス期間で選択されなかった放電セルがサステイン期間で維持放電できるようにする電圧であることを特徴とする、請求項２６に記載のプラズマディスプレイパネルの駆動方法。
【請求項２８】
前記第２電極が第１電圧に維持された状態で、第２電圧を所定期間内に有する前記消去パルスが前記第１電極に印加され、
前記第２電圧と第１電圧の電圧差は前記第１電荷と第２電荷によって形成される電圧と共に前記第１電極と第２電極の間の放電を起こすことができる範囲内であり、
前記所定期間は、前記第１電極と第２電極の間の放電によって形成された電荷が前記第１電極と前記第２電極に所定量以下に蓄積されるようにする範囲内であることを特徴とする請求項２７に記載のプラズマディスプレイパネルの駆動方法。
【請求項２９】
前記所定量は、サステイン期間で前記第１電極と第２電極に各々印加される電圧レベルと同一なレベルの電圧が前記第１電極と前記第２電極に各々印加される場合に前記第１電極と前記第２電極の間で放電が起こらないようにすることができる範囲内であることを特徴とする請求項２８に記載のプラズマディスプレイパネルの駆動方法。
【請求項３０】
前記第２電極が第１電圧に維持された状態で、第２電圧から第３電圧まで漸進的に変化する前記消去パルスが前記第１電極に印加されることを特徴とする請求項２７に記載のプラズマディスプレイパネルの駆動方法。
【請求項３１】
前記第３電圧と前記第１電圧の電圧差は前記第１電荷と第２電荷によって形成される電圧と共に前記第１電極と第２電極の間の放電を起こすことができる範囲内であることを特徴とする請求項３０に記載のプラズマディスプレイパネルの駆動方法。
【請求項３２】
第１基板と、
前記第１基板上に各々平行に形成される複数の第１及び第２電極と、
前記第１基板と対向して離れている第２基板と、
前記第１及び第２電極と交差し前記第２基板上に形成される複数の第３電極と、
隣接した前記第１電極、第２電極及び第３電極によって形成される放電セルに駆動信号を供給する駆動回路を含み、
前記駆動回路は、リセット期間とアドレス期間の間に、前記第１電極に第１電圧を印加し前記第２電極に第２電圧を印加し、
前記第１電圧と第２電圧によって前記リセット期間で形成された電荷の中で非正常的な電荷が消去されることを特徴とするプラズマディスプレイパネル。
【請求項３３】
前記非正常的な電荷は、前記第１電極と第２電極に各々形成され、前記アドレス期間より選択されなかった場合にもサステイン期間で放電が起こることができるようにする第１及び第２電荷を含むことを特徴とする請求項３２に記載のプラズマディスプレイパネル。
【請求項３４】
前記駆動回路は、第１期間内に前記第１電圧を前記第１電極に印加した後、第２期間の間前記第２電圧を前記第２電極に印加し、
前記リセット期間内に前記第１及び第２電荷が形成された場合に、前記第１期間内に前記第１電圧によって前記第１電極と前記第２電極の間で放電が起こり、前記第２期間内に前記第２電圧によって前記第１期間での放電によって形成された電荷が消去されることを特徴とする請求項３３に記載のプラズマディスプレイパネル。
【請求項３５】
前記第１期間内に前記駆動回路は、前記第２電極を第３電圧に維持した状態で前記第１電極に前記第１電圧を印加し、
前記第１電圧と第３電圧の電圧差は、前記第１及び第２電荷によって形成される電圧と共に前記第１電極と第２電極の間の放電を起こすことができる範囲内であることを特徴とする請求項３４に記載のプラズマディスプレイパネル。
【請求項３６】
前記第２期間内に前記駆動回路は、前記第１電極を第４電圧に維持した状態で前記第２電極に前記第２電圧を印加し、
前記第２電圧は第５電圧から第６電圧まで漸進的に変化する電圧であり、
前記第６電圧と第４電圧の電圧差は、前記第１期間での前記第１電極と第２電極の間の放電によって形成された電荷と共に前記第１電極と第２電極の間の放電を起こすことができる範囲内であることを特徴とする請求項３５に記載のプラズマディスプレイパネル。
【請求項３７】
前記第２期間内に前記駆動回路は、前記第１電極を第４電圧に維持した状態で前記第２電極に前記第２電圧を印加し、
前記第２電圧と第４電圧の電圧差は、前記第１期間での前記第１電極と第２電極の間の放電によって形成された電荷と共に前記第１電極と第２電極の間の放電を起こすことができる範囲内であり、
前記第２期間は、前記第１電極と第２電極の間の放電によって形成された電荷が前記第１電極と第２電極に所定量以下に蓄積されるようにする範囲内であることを特徴とする請求項３５に記載のプラズマディスプレイパネル。
【請求項３８】
前記所定量は、前記サステイン期間で前記第１電極と第２電極に各々印加される電圧レベルと同一なレベルの電圧が前記第１電極と第２電極に各々印加される場合に前記第１電極と第２電極の間で放電が起こらないようにすることができる範囲内であることを特徴とする請求項３７に記載のプラズマディスプレイパネル。
【請求項３９】
前記駆動回路は、前記第２電極に前記第２電圧を印加しながら前記第１電極に前記第１電圧を印加し、前記第１電圧と第２電圧によって前記第１電荷と第２電荷が消去されることを特徴とする請求項３３に記載のプラズマディスプレイパネル。
【請求項４０】
前記駆動回路は、前記第１電圧を所定期間の間印加し、
前記第１電圧と第２電圧の電圧差は前記第１電荷と第２電荷によって形成される電圧と共に前記第１電極と第２電極の間の放電を起こすことができる範囲内であり、
前記所定期間は、前記第１電極と第２電極の間の放電によって形成された電荷が前記第１電極と第２電極に所定量以下に蓄積されるようにする範囲内であることを特徴とする請求項３９に記載のプラズマディスプレイパネル。
【請求項４１】
前記所定量は、前記サステイン期間で前記第１電極と第２電極に各々印加される電圧レベルと同一なレベルの電圧が前記第１電極と第２電極に各々印加される場合に前記第１電極と第２電極の間で放電が起こらないようにすることができる範囲内であることを特徴とする請求項４０に記載のプラズマディスプレイパネル。
【請求項４２】
前記第２電圧は、第３電圧から第４電圧まで漸進的に変化する電圧であり、
前記第４電圧と第１電圧の電圧差は前記第１電荷と第２電荷によって形成される電圧と共に前記第１電極と第２電極の間の放電を起こすことができる範囲内であることを特徴とする請求項３９に記載のプラズマディスプレイパネル。
【発明の詳細な説明】
【技術分野】
【０００１】
本発明は、プラズマディスプレイパネル（PDP）とその駆動方法に関する。
【背景技術】
【０００２】
プラズマディスプレイパネルは、気体放電によって生成されたプラズマを利用して文字または映像を表示する平面表示装置であって、その大きさによって数十から数百万個以上の画素がマトリックス形態に配列されている。まず、図１及び図２を参照してプラズマディスプレイパネルの構造について説明する。
【０００３】
図１は、プラズマディスプレイパネルの一部斜視図であり、図２はプラズマディスプレイパネルの電極配列図を示す。
【０００４】
図１に示したように、プラズマディスプレイパネルは互いに対向して離れている二つのガラス基板１、６を含む。ガラス基板１上には走査電極４と維持電極５が対をなして平行に形成されており、走査電極４と維持電極５は誘電体層２及び保護膜３で覆われている。ガラス基板６上には複数のアドレス電極８が形成されており、アドレス電極８は絶縁体層７で覆われている。アドレス電極８の間にある絶縁体層７上にはアドレス電極８と隔壁９が形成されている。また、絶縁体層７の表面及び隔壁９の両側面に蛍光体１０が形成されている。ガラス基板１、６は走査電極４とアドレス電極８及び維持電極５とアドレス電極８が直交するように放電空間１１を隔てて対向して配置されている。アドレス電極８と、対をなす走査電極４と維持電極５との交差部にある放電空間１１が放電セル１２を形成する。
【０００５】
そして、図２に示したように、プラズマディスプレイパネルの電極はn×mのマトリックス構造を有している。列方向にはアドレス電極（A１−Am）が配列されており、行方向にはn行の走査電極（Y１−Yn）及び維持電極（X１−Xn）が対をなして配列されている。
【０００６】
一般にプラズマディスプレイパネルは、１フレームが複数のサブフィールドに分けられて駆動され、サブフィールドの組み合わせによって階調が表現される。各サブフィールドは、図３に示したようにリセット期間、アドレス期間、サステイン期間からなる。リセット期間は直前の維持放電で形成された壁電荷を消去し次のアドレス放電を安定的に行うために壁電荷をセットアップする役割を果たす。アドレス期間はパネルで点灯されるセルと点灯されないセルを選択して点灯されるセル（アドレシングされたセル）に壁電荷を蓄積する動作を行う期間である。サステイン期間はアドレシングされたセルに実際に画像を表示するための維持放電を行う期間である。
【０００７】
次に、図３を参照してプラズマディスプレイパネルの従来の駆動方法について説明する。
【０００８】
図３は、従来技術によるプラズマディスプレイパネルの駆動波形図である。図３に示したように、リセット期間は消去期間、ランプ上昇期間及びランプ下降期間からなる。
【０００９】
消去期間では維持電極（X）に０VからVe電圧に向かってなだらかに上昇する消去ランプ波形が印加される。そうすると、維持電極（X）と走査電極（Y）に形成された壁電荷は次第に消去される。
【００１０】
次に、ランプ上昇期間ではアドレス電極（A）及び維持電極（X）を０Vに維持し、走査電極（Y）にはVs電圧からVset電圧に向かってなだらかに上昇するランプ波形が印加される。このランプ波形が上昇する間に全ての放電セルでは走査電極（Y）からアドレス電極（A）及び維持電極（X）に各々１回目の微弱なリセット放電が起こる。その結果、走査電極（Y）に（−）壁電荷が蓄積され、同時にアドレス電極（A）及び維持電極（X）には（＋）壁電荷が蓄積される。
【００１１】
次に、ランプ下降期間では維持電極（X）をVe電圧に維持した状態で、走査電極（Y）にVs電圧から０Vに向かってなだらかに下降するランプ波形を印加する。このランプ波形が下降する間に再び全ての放電セルでは２回目の微弱なリセット放電が起こる。その結果、走査電極（Y）の（−）壁電荷が減少し維持電極（X）の（＋）壁電荷が減少する。
【００１２】
このようにリセット期間が正常に動作すれば走査電極（Y）と維持電極（X）の壁電荷が消去されが、不安全なリセット動作によって不安定な放電が起こることがある。このような不安定な放電には、ランプ上昇期間に強放電が起こった後、走査電極（Y）のVset電圧下降時に自己消去（self-erasing）による放電が起こる場合、ランプ上昇期間とランプ下降期間に強放電が起こる場合、そしてランプ下降期間で強放電が起こる場合がある。この時、第１の場合には自己消去によってリセット機能が行われる。
【００１３】
しかし、第２及び第３の場合にはランプ下降期間での強放電によって走査電極（Y）に（＋）壁電荷が形成され、維持電極（X）に（−）壁電荷が形成される。この時、走査電極（Y）と維持電極（X）に形成された壁電荷によって形成される壁電圧（Vwxy１）が数式１を満足すれば、アドレス期間でアドレス放電がなくてもサステイン期間で維持放電が起こることができる。
【００１４】
【数１】
2004326068.tif 000003
【００１５】
ここで、Vwxy１はランプ下降期間での強放電によって走査電極（Y）と維持電極（X）の間で形成される壁電圧であり、Vsはサステイン期間から印加されるサステインパルスによって走査電極（Y）と維持電極（X）の間で形成される電圧差であり、Vfは走査電極（Y）と維持電極（X）の間の放電開始電圧である。
【００１６】
このように従来駆動方法によれば、リセット期間のランプ下降期間での強放電によって点灯されてはいけない放電セルでも維持放電が起こることがある。
【発明の開示】
【発明が解決しようとする課題】
【００１７】
本発明が目的とする技術的課題は、リセット期間での強放電により発生することがある誤放電を除去することである。
【課題を解決するための手段】
【００１８】
このような課題を解決するために本発明は不安定なリセット動作によって形成された電荷を消去する。
【００１９】
本発明の一つの特徴によると、第１基板上に各々平行に形成される複数の第１電極及び第２電極、そして第１及び第２電極に交差し第２基板上に形成される複数の第３電極を含み、隣接した第１電極、第２電極及び第３電極によって放電セルが形成されるプラズマディスプレイパネルを駆動する方法が提供される。この駆動方法はリセット期間、補助リセット期間、アドレス期間及びサステイン期間を含む。
【００２０】
補助リセット期間は一定の条件で放電と消去機能を有する放電消去パルスを放電セルに印加する。この時、一定の条件はリセット期間で非正常的な電荷が形成された場合であり、放電消去パルスによって非正常的な電荷が放電されて消去されるのが好ましい。
【００２１】
非正常的な電荷は、リセット期間で第１電極と第２電極に各々形成された第１及び第２電荷を含み、第１及び第２電荷によって形成される電圧はアドレス期間より選択されなかった放電セルをサステイン期間で維持放電させることができる電圧である。
【００２２】
一つの実施例によれば、消去段階は第１電極に第１電圧が第１期間内に印加される段階、そして第２電極に第２電圧が第２期間内に印加される段階を含む。この時、第１電圧は、第１電荷と第２電荷によって形成される電圧と共に第１電極と第２電極の間の放電を起こすことができる範囲内であるのが好ましい。そして第１期間は第１電極と第２電極の間の放電によって第１電極と第２電極に電荷が形成できる範囲内であり、第２期間での第２電圧は第１期間で形成される電荷を消去することができる電圧であるのが好ましい。
【００２３】
第２期間で、第２電圧は第３電圧から第４電圧まで漸進的に変化する電圧でありうる。または第２電圧は、第１期間で第１電極と第２電極の間の放電によって形成される電圧と共に第１電極と第２電極の間の放電を起こすことができる範囲内であってもよい。この時、第２期間は第１電極と第２電極の間の放電によって形成される電荷が第１電極と第２電極に所定量以下に蓄積されるようにすることができる範囲内であるのが好ましい。
【００２４】
本発明の他の実施例によると、消去段階では第１電極に第１電圧が印加される間に第２電極に第２電圧が印加される。
【００２５】
第１電圧が所定期間内に第１電極に印加できる。この時、第１電圧と第２電圧の電圧差は、第１電荷と第２電荷によって形成される電圧と共に第１電極と第２電極の間の放電を起こすことができる範囲内であるのが好ましい。そして所定期間は第１電極と第２電極の間の放電によって形成される電荷が第１電極と第２電極に所定量以下に蓄積されるようにすることができる範囲内であるのが好ましい。
【００２６】
または第１電圧は第３電圧から第４電圧まで漸進的に変化する電圧でもあり得る。
【００２７】
本発明の他の特徴によるプラズマディスプレイパネルの駆動方法は、リセット期間で一定の条件が形成された場合に放電と消去を起こすことができる消去段階を含む。
【００２８】
この駆動方法の一つの実施例によると、消去段階は、リセット期間で一定の条件下で第１電極と第２電極の間で放電を起こすことができる放電パルスを放電セルに印加する第１段階、そして第１段階の放電によって第１電極と第２電極に形成される電荷を消去するための消去パルスを放電セルに印加する第２段階を含む。
【００２９】
この駆動方法の他の実施例によると、消去段階は、リセット期間で一定の条件下で第１電極と第２電極の間での放電を起こし電荷を消去するための消去パルスを放電セルに印加する段階を含む。
【００３０】
この時、一定の条件はリセット期間で非正常的な電荷が形成された場合である。
【００３１】
そして、非正常的な電荷はリセット期間で第１電極と第２電極に各々形成された第１及び第２電荷を含み、第１及び第２電荷によって形成される電圧はアドレス期間より選択されなかった放電セルをサステイン期間で維持放電させることができる電圧である。
【００３２】
本発明の他の特徴によると、第１基板、第１基板上に各々平行に形成される複数の第１及び第２電極、第１基板と対向して離れている第２基板、第１及び第２電極と交差し第２基板上に形成される複数の第３電極、そして隣接した第１電極、第２電極及び第３電極によって形成される放電セルに駆動信号を供給する駆動回路を含むプラズマディスプレイパネルが提供される。駆動回路は、リセット期間とアドレス期間の間に、第１電極に第１電圧を印加し第２電極に第２電圧を印加する。第１電圧と第２電圧によってリセット期間で形成された電荷の中で非正常的な電荷が消去される。
【発明の効果】
【００３３】
本発明によれば、不安定なリセット動作によってリセット期間で強放電が起こって走査電極と維持電極に多量の電荷が形成された場合に、この電荷を消去することができる。したがって、選択されなかった放電セルで維持放電が起こることを防止することができる。
【発明を実施するための最良の形態】
【００３４】
以下、添付した図面を参照して本発明の実施例について本発明の属する技術分野における通常の知識を有する者が容易に実施できるように詳細に説明する。しかし、本発明は多様な相異なる形態に実現することができ、ここで説明する実施例に限定されない。図面から本発明を明確に説明するために説明と関係ない部分は省略した。明細書全体にかけて類似な部分については同一な図面符号を付けることにする。
【００３５】
次に、本発明の実施例によるプラズマディスプレイパネルの駆動方法について図面を参照して詳細に説明する。
【００３６】
図４は、本発明の第１実施例によるプラズマディスプレイパネルの駆動波形図である。図５Ａ乃至図５Ｄは、図４の駆動波形による壁電荷分布図である。図６Ａ乃至図６Ｃは、図４の駆動波形でランプ下降期間中強放電が起こった場合の壁電荷分布図である。図７及び図８は各々図４に示した駆動波形の変形例である。
【００３７】
図４に示したように、本発明の第１実施例による駆動波形はリセット期間１００、誤放電消去補助リセット期間２００、アドレス期間３００及びサステイン期間４００を含む。リセット期間１００は消去期間１１０、ランプ上昇期間１２０及びランプ下降期間１３０からなる。
【００３８】
リセット期間１００の消去期間１１０は、直前サブフィールドのサステイン期間４００で維持放電によって形成された電荷を消去するための期間である。ランプ上昇期間１２０は走査電極（Y）、維持電極（X）及びアドレス電極（A）に壁電荷を形成する期間であり、ランプ下降期間１３０はランプ上昇期間１２０で形成された壁電荷を一部消去してアドレス放電を容易にする期間である。
【００３９】
誤放電消去期間２００は、リセット期間１００を補助して正常に発光されるように電荷状態を形成するための期間（補助リセット期間）であって、ランプ下降期間１３０で不安定な強放電によって形成された走査電極（Y）と維持電極（X）の壁電荷を除去する期間である。
【００４０】
アドレス期間３００は、複数の放電セルの中でサステイン期間で維持放電を起こす放電セルを選択する期間である。サステイン期間４００は、走査電極（Y）と維持電極（X）に順次にサステインパルスを印加してアドレス期間３００より選択された放電セルを維持放電させる期間である。
【００４１】
そして、プラズマディスプレイパネルは、各期間１００、２００、３００、４００で走査電極（Y）及び維持電極（Y）に駆動電圧を印加する走査/維持駆動回路、そしてアドレス電極（A）に駆動電圧を印加するアドレス駆動回路を含む。
【００４２】
まず、図５Ａ乃至図５Ｄを参照して本発明の第１実施例による駆動波形によって正常にリセット動作が起こった場合について詳しく説明する。
【００４３】
直前サブフィールドのサステイン期間４００では走査電極（Y）と維持電極（X）の間の維持放電によって走査電極（Y）に（−）壁電荷が蓄積され、維持電極（X）に（＋）壁電荷が蓄積される。消去期間１１０では走査電極（Y）を基準電圧に維持した状態で維持電極（X）に基準電圧からVe電圧までなだらかに上昇するランプ波形が印加される。本発明の第１実施例では基準電圧を０Vと仮定する。そうすると、維持電極（X）と走査電極（Y）に形成された壁電荷は次第に消去される。
【００４４】
次に、ランプ上昇期間１２０では維持電極（X）を基準電圧に維持した状態で走査電極（Y）にVs電圧からVset電圧までなだらかに上昇するランプ波形を印加する。この時、Vs電圧は走査電極（Y）と維持電極（X）の間の放電開始電圧（Vf）より低い電圧であり、Vset電圧は放電開始電圧（Vf）より高い電圧である。ランプ波形が上昇する間に走査電極（Y）からアドレス電極（A）及び維持電極（X）に各々微弱なリセット放電が起こる。その結果、図５Ａに示したように走査電極（Y）に（−）壁電荷が蓄積され、同時にアドレス電極（A）及び維持電極（X）には（＋）壁電荷が蓄積される。
【００４５】
ランプ下降期間１３０では維持電極（X）をVe電圧に維持した状態で走査電極（Y）にVs電圧から基準電圧までなだらかに下降するランプ波形が印加される。このランプ波形が下降する間に再び全ての放電セルでは微弱なリセット放電が起こる。その結果、図５Ｂに示したように走査電極（Y）の（−）壁電荷が減少し維持電極（X）の（＋）壁電荷が減少する。また、アドレス電極（A）の（＋）壁電荷はアドレス動作に適当な値に調整される。
【００４６】
誤放電消去期間２００では、まず、維持電極（X）を基準電圧に維持した状態で走査電極（Y）にVs電圧を有する各形（square）パルスが印加される。この時、ランプ下降期間１３０で正常に電荷が消去されていれば走査電極（Y）と維持電極（X）の間で形成される壁電圧は走査電極（Y）を基準にする時、負の電圧（−Vwxy２）になる。その後、走査電極（Y）と維持電極（X）の間の電圧は（Vs−Vwxy２）になって放電開始電圧（Vf）を越えず、放電が起こらない。したがって、図５Ｃに示したように放電セルでの壁電荷分布は図５bと同一に維持される。
【００４７】
次に、誤放電消去期間２００では走査電極（Y）を基準電圧に維持した状態で維持電極（X）に基準電圧からVe電圧までなだらかに上昇する消去ランプ波形が印加される。走査電極（Y）と維持電極（X）での電荷分布は前記の期間と同一で、この消去ランプ波形によっても放電が起こらないので、図５Ｄに示したように壁電荷は図５Ｂと同一に維持される。
【００４８】
アドレス期間３００では放電セルを選択するために走査電極（Y）に走査パルスが順次に印加され、走査パルスが印加された走査電極（Y）と交差するアドレス電極（A）のうちの選択しようとするアドレス電極（A）にアドレスパルスが印加される。そうすると、走査パルスとアドレスパルスによって形成される電位差によって走査電極（Y）とアドレス電極（A）の間で放電が起こる。そして走査電極（Y）とアドレス電極（A）の間の放電を起爆剤（priming）として走査電極（Y）と維持電極（X）の間で放電が起こって走査電極（Y）と維持電極（X）に壁電荷が形成される。
【００４９】
サステイン期間４００では走査電極（Y）と維持電極（X）に順次にサステインパルスが印加される。サステインパルスは、走査電極（Y）と維持電極（X）の電圧差が交互にVs電圧及び−Vs電圧になるようにするパルスである。Vs電圧は走査電極（Y）と維持電極（X）の間の放電開始電圧より低い電圧である。アドレス期間３００でアドレス放電によって走査電極（Y）と維持電極（X）の間に壁電圧（Vwxy３）が形成されていれば、壁電圧（Vwxy３）とVs電圧によって走査電極（Y）と維持電極（X）で放電が起こる。
【００５０】
次に、図６Ａ乃至図６Ｃを参照して本発明の第１実施例による駆動波形のうちのランプ下降期間１３０で強放電が起こった場合について詳しく説明する。
【００５１】
不安定なリセット動作によってランプ下降期間１３０で強放電が起これば、図６Ａに示したように走査電極（Y）には（＋）電荷が蓄積され、維持電極には（−）電荷が蓄積される。この時、走査電極（Y）と維持電極（X）に形成された壁電荷によって形成される壁電圧（Vwxy１）は、数式１を満足する。
【００５２】
誤放電消去期間２００で走査電極（Y）にVs電圧が印加され維持電極（X）に基準電圧が印加されると、走査電極（Y）と維持電極（X）の間の壁電圧（Vwxy１）とVs電圧によって走査電極（Y）と維持電極（X）の間の電圧（Vwxy１＋Vs）は放電開始電圧（Vf）を越える。したがって、走査電極（Y）と維持電極（X）の間では放電が起こって図６Ｂに示したように走査電極（Y）には多量の（−）電荷が蓄積され、維持電極（X）には多量の（＋）電荷が蓄積される。
【００５３】
次に、誤放電消去期間２００の後半では維持電極（X）に基準電圧からVe電圧までなだらかに上昇する消去ランプ波形が印加されて消去動作が起こる。このランプ波形によって図６Ｃに示したように走査電極（Y）と維持電極（X）に形成されている壁電荷が消去され、走査電極（Y）と維持電極（X）の間の壁電圧が低くなる。その結果、走査電極（Y）と維持電極（X）の間の壁電圧とサステイン期間３００から印加されるVs電圧の合計が放電開始電圧より低くなる。したがって、アドレス期間３００でアドレス放電がなければ、サステイン期間４００では放電が起こらないようになる。
【００５４】
そして本発明の第１実施例では駆動回路を簡単にするために誤放電消去期間２００で走査電極（Y）にVs電圧を印加し維持電極（X）にVe電圧を印加した。これとは異なって、誤放電消去期間２００での放電条件を満足すれば、走査電極（Y）と維持電極（X）に印加される電圧として他の電圧を使用することもできる。また、本発明の第１実施例では基準電圧を０Vに仮定して説明したが、これとは異なって基準電圧を−Vs/２電圧にすることもできる。図７を見れば、各期間１００、２００、３００、４００で走査電極（Y）及び維持電極（X）に印加される駆動電圧が全体的にVs/２電圧だけ下った。このようにすれば、駆動回路に用いられる電圧レベルが低くなって低い耐圧の素子を駆動回路で用いることができる。これとは異なって各期間１００、２００、３００、４００で用いられる電圧を異なるように調整することも可能である。
【００５５】
また、本発明の第１実施例では消去期間１１０で維持電極（X）に消去ランプ波形を印加したが、これとは異なって走査電極（Y）に消去ランプ波形を印加することもできる。図８を見れば、維持電極（X）をVe電圧に維持した状態で走査電極（Y）にVs電圧から基準電圧までなだらかに下降するランプ波形が印加される。このようにすれば、消去期間１１０での走査電極（Y）と維持電極（X）の間の電圧差が図４の消去期間１１０での走査電極（Y）と維持電極（X）の間の電圧差と同一に維持されるので、図４と同一に消去動作が行われる。
【００５６】
そして、本発明の第１実施例ではリセット期間１００で走査電極（Y）にランプ上昇電圧とランプ下降電圧を印加した。これ以外に、正常なリセット動作によって図５Ｂのような壁電荷分布が形成され非正常的なリセット動作によって図６Ａのような壁電荷分布が形成される他のリセット電圧を使用することもできる。
【００５７】
上述したような変形例は後記する実施例にも適用することができる。
【００５８】
本発明の第１実施例では誤放電消去期間２００で放電電圧と消去ランプ波形を使用したが、これとは異なる波形を使用することもできる。以下では誤放電消去期間２００で本発明の第１実施例とは異なる波形を使用する実施例について図９乃至図１３を参照して説明する。
【００５９】
図９乃至図１３は各々本発明の第２乃至第６実施例によるプラズマディスプレイパネルの駆動波形図である。
【００６０】
図９を見れば、本発明の第２実施例による駆動波形は誤放電消去期間２００でランプ波形の代りにラウンド波形が用いられた点を除けば第１実施例と同一である。誤放電消去期間２００の前半に走査電極（Y）にVs電圧を有する角形パルスを印加する。維持電極（X）に基準電圧からVe電圧まで曲線形態で上昇するラウンド電圧を印加する。そうすれば、ランプ下降期間１３０で強放電が起こった場合にVs電圧によって放電が起こって走査電極（Y）と維持電極（X）に各々（−）電荷と（＋）電荷が蓄積され、Ve電圧まで上昇するラウンド電圧によってこれら電荷が消去される。
【００６１】
図１０を見れば、本発明の第３実施例による駆動波形では第１実施例とは異なって誤放電消去期間２００で維持電極（X）に角形パルスが印加され、走査電極（Y）にランプ波形が印加される。詳しく説明すれば、誤放電消去期間２００の前半に走査電極（Y）をVs電圧に維持した状態で維持電極（X）に基準電圧を有する角形パルスを印加する。そうすると、走査電極（Y）と維持電極（X）の電圧差は第１実施例と同一にVs電圧を維持するので、ランプ下降期間１３０で強放電があった場合には走査電極（Y）と維持電極（X）の間で放電が起こる。誤放電消去期間２００の後半に維持電極（X）をVe電圧に維持した状態で走査電極（Y）にVs電圧から基準電圧まで下降するランプ波形を印加する。ランプ波形によって誤放電消去期間２００の前半に走査電極（Y）と維持電極（X）の放電によって形成された電荷が除去できる。そしてランプ波形の代りに図９で説明したラウンド波形を使用することもできる。
【００６２】
次に、図１１を見れば、本発明の第４実施例による駆動波形は誤放電消去期間２００の後半に消去ランプ電圧の代りに細幅パルスが印加される点を除けば第１実施例と同一である。詳しく説明すれば、誤放電消去期間２００の後半に走査電極（Y）を基準電圧に維持した状態で維持電極（X）にVe電圧を有する細幅パルスが印加される。
【００６３】
ランプ下降期間１３０で強放電があれば誤放電消去期間２００の前半では走査電極（Y）と維持電極（X）の間の放電が起こって壁電荷状態は図６Ｂのようになる。この時、走査電極（Y）に基準電圧が印加され維持電極（X）にVe電圧が印加されると、図６Ｂの壁電荷分布によって形成される壁電圧（Vwxy４）及び走査電極（Y）と維持電極（X）の電圧差（Ve）によって走査電極（Y）と維持電極（X）の間に放電が起こる。しかし、維持電極（X）に印加されるVe電圧パルスの幅が短く、放電によって形成された電荷が走査電極（Y）と維持電極（X）に蓄積されずに消去されて図６Ｃのような壁電荷状態になる。
【００６４】
そして、本発明の第４実施例でも第３実施例のような変形を適用することができる。つまり、誤放電消去期間２００の前半に走査電極（Y）をVs電圧に維持した状態で維持電極（X）にVe電圧から基準電圧に変わる角形パルスを印加する。その後、誤放電消去期間２００の後半に維持電極（X）をVe電圧に維持した状態で走査電極（Y）にVs電圧から基準電圧に変わる細幅パルスを印加する。
【００６５】
本発明の第１乃至第４実施例では誤放電消去期間で放電を起こした後、放電によって形成された電荷を消去した。これとは異なって、第５及び第６実施例では誤放電消去期間で放電と消去を同時に行うことができる波形を使用する。
【００６６】
図１２を見れば、本発明の第５実施例では誤放電消去期間２００で走査電極（Y）に細幅パルスのみ印加される。詳しく説明すれば、誤放電消去期間２００で維持電極（X）を基準電圧に維持した状態で走査電極（Y）にVs電圧を有する細幅パルスが印加される。ランプ下降期間１３０で強放電が起こって電荷状態が図６Ａのような場合には、走査電極（Y）と維持電極（X）の間の電圧差（Vs）と走査電極（Y）と維持電極（X）の間の壁電圧（Vwxy１）によって走査電極（Y）と維持電極（X）の間で放電が起こる。しかし、走査電極（Y）に印加されるパルスの幅が短くて放電によって生成された電荷が走査電極（Y）と維持電極（X）に蓄積されずに消去される。
【００６７】
図１３を見れば、本発明の第６実施例では誤放電消去期間２００で走査電極（Y）にランプ波形のみ印加される。つまり、維持電極（X）を基準電圧に維持した状態で走査電極（Y）に基準電圧からVs電圧までなだらかに上昇するランプ波形が印加される。そうすると、図６Ａのように走査電極（Y）と維持電極（X）に電荷が形成されている時、走査電極（Y）と維持電極（X）の間で微弱な放電が起こって電荷が消去される。
【００６８】
以上、本発明の好ましい実施例について詳細に説明したが、本発明はこれに限定されず、請求範囲で定義している本発明の基本概念を利用した当業者の多様な変形及び改良形態もまた本発明の権利範囲に属する。
【図面の簡単な説明】
【００６９】
【図１】プラズマディスプレイパネルの概略的な一部斜視図である。
【図２】プラズマディスプレイパネルの電極配列図である。
【図３】従来技術によるプラズマディスプレイパネルの駆動波形図である。
【図４】本発明の第１実施例によるプラズマディスプレイパネルの駆動波形図である。
【図５Ａ】図４の駆動波形による壁電荷分布図である。
【図５Ｂ】図４の駆動波形による壁電荷分布図である。
【図５Ｃ】図４の駆動波形による壁電荷分布図である。
【図５Ｄ】図４の駆動波形による壁電荷分布図である。
【図６Ａ】図４の駆動波形で不安定なリセット動作が起こった場合の壁電荷分布図である。
【図６Ｂ】図４の駆動波形で不安定なリセット動作が起こった場合の壁電荷分布図である。
【図６Ｃ】図４の駆動波形で不安定なリセット動作が起こった場合の壁電荷分布図である。
【図７】図４に示した駆動波形の変形例である。
【図８】図４に示した駆動波形の変形例である。
【図９】本発明の第２実施例によるプラズマディスプレイパネルの駆動波形図である。
【図１０】本発明の第３実施例によるプラズマディスプレイパネルの駆動波形図である。
【図１１】本発明の第４実施例によるプラズマディスプレイパネルの駆動波形図である。
【図１２】本発明の第５実施例によるプラズマディスプレイパネルの駆動波形図である。
【図１３】本発明の第６実施例によるプラズマディスプレイパネルの駆動波形図である。
【符号の説明】
【００７０】
１００  リセット期間
１１０  消去期間
１２０  ランプ上昇期間
１３０  ランプ下降期間
２００  誤放電消去期間
３００  アドレス期間
４００  サステイン期間
A  アドレス電極
Ve  電圧差
Vs  電圧差
Vf  放電開始電圧
Vwxy1  壁電圧
Vwxy3  壁電圧
X  維持電極
Y  走査電極
【図１】
2004326068.tif 000004
【図２】
2004326068.tif 000005
【図３】
2004326068.tif 000006
【図４】
2004326068.tif 000007
【図５Ａ】
2004326068.tif 000008
【図５Ｂ】
2004326068.tif 000009
【図５Ｃ】
2004326068.tif 000010
【図５Ｄ】
2004326068.tif 000011
【図６Ａ】
2004326068.tif 000012
【図６Ｂ】
2004326068.tif 000013
【図６Ｃ】
2004326068.tif 000014
【図７】
2004326068.tif 000015
【図８】
2004326068.tif 000016
【図９】
2004326068.tif 000017
【図１０】
2004326068.tif 000018
【図１１】
2004326068.tif 000019
【図１２】
2004326068.tif 000020
【図１３】
2004326068.tif 000021